(57)【要約】【課題】  小花、中花、草及び枝物等各種の花卉類の生け花、挿し花に好適で、汎用性のある花器を提供する。  【解決手段】  円形状鋳鉄製の鐔１と陶器製で広口の開口部２１を形成した器２からなり、鐔１の中心部には楔状の中子孔１１が形成され、該中子孔１１と鐔１との外周１２間の周面には、花と枝の絵柄模様１３が刻設され、また絵柄模様１３と絵柄模様１３の間には大中小、不定形の複数の透かし１４が穿設されている。【選択図】図１
0003112020.tif 000002
【実用新案登録請求の範囲】
【請求項１】
鐔を用いた花器であって、
該鐔は、平面視略円形、楕円形又は四角形状の重量ある平板体で、その中心部に刻設された楔状の中子孔と、
前記中子孔と鐔外周間の表面から底面にかけて絵柄模様を形成するとともに、中子孔と鐔外周間及び模様と模様間には花卉挿入用の複数、不定形の透かしを形成してなり、  
花卉・水容器は、少なくとも前記鐔の直径より小径の開口を有し、
該花卉・水容器の開口周縁部に前記鐔を水平状に載置してなることを特徴とする、鐔を用いた花器。
【請求項２】
前記鐔は、鉄又は非鉄金属からなり、花卉・水容器は、陶磁器、鉄、非鉄金属、硬質合成樹脂材、ガラス材、木材又は石材からなることを特徴とする、請求項１記載の鐔を用いた花器。
【請求項３】
前記中子孔、中子孔と鐔外周間の模様及び模様と模様間に形成された透かしは、表面から底面にかけて傾斜面としていることを特徴とする、請求項１及び請求項２記載の、鐔を用いた花器。
【請求項４】
前記透かしは、底面の巾寸法を表面の巾寸法より狭小とした、傾斜角度を約６０°〜８０°としていることを特徴とする、請求項１ないし請求項３記載の、鐔を用いた花器。
【請求項５】
前記中子孔に形成した透かしの巾寸法を、大、中及び小としていることを特徴とする、請求項１ないし請求項４記載の、鐔を用いた花器。
【考案の詳細な説明】
【技術分野】
【０００１】
本考案は、鐔を用いた花器に係り、詳しくは、刀の柄の部分と刀身の間に挟着される鐔（鍔）を用いて、該鐔に形成された透かしに茎又は枝の太さが異なる花卉類を良好に活けたり、挿すことのできる、鐔を用いた花器に関する。
【背景技術】
【０００２】
我が国の伝統文化のひとつである生け花は、古くから華道として伝えられ、多くの流派があるが、近年は、流派にとらわれない自己の意図する造形美を表現するために、茎又は枝の太さが異なる花卉類と花器とを使って、斬新な生け花を楽しむ傾向も見える。    
【０００３】
生け花に用いる花器には種々の形状があるが、例えば一輪挿しや細口の花瓶には不要であるが、開口部が広い花瓶や水盤、舟形等のように平たい花器には、使用する花卉類の固定部材が必須となる。
【０００４】
従来より、小型の花器、例えば直径が約７．０ｃｍ〜１０ｃｍのものに枝物やかすみ草等の細茎の花を活けるときは、その固定部材として小径の剣山や小石を使用している。また他の花卉固定部材としては、図９に示す上述の剣山のほか、図１０に例示する、小花を活ける挿込孔を複数穿設した筒状体、また図１１に例示する、吸水性スポンジの固定部材等が一般的に使用されている。
【０００５】
さらに特開平７−３２７７９９のように花台の中央に設けた所要径からなる円形凹部に水吸収スポンジ体を置き、このスポンジ体を覆うように半円球状の蓋部材を嵌合した花器も提案されている。
【特許文献１】特開平７−３２７７９９号公報
【考案の開示】
【考案が解決しようとする課題】
【０００６】
しかしながら、枝物を剣山で固定する場合、剣山が小さいので安定を欠き、枝が倒れたり、長めの枝を花器の周縁から垂らそうとすると、枝の切り口が浮き上がる不具合があり、またかすみ草等の細茎の花は剣山には挿せないうえに、強引に挿そうとすると、指先を負傷することがあり、また小石による固定は不安定であるために、イメージする生け花が創作できないという欠点がある。さらに筒状体は、小花を活けるのに適しているが、中花を活けるには安定性が劣り、吸水性スポンジの固定部材は、柔らかすぎるうえに耐用性に欠点があり、筒状体と同様に安定性に欠けかつ、挿し難いという不具合がある。
【０００７】
特許文献１は、花台、蓋部材及び水吸収スポンジ体からなり、花台と蓋部材はそれぞれ個別に製作し、蓋部材の円形凹部に適合する水吸収スポンジ体を用意しなければならないので、その組み立ては煩わしく、またその製作コストも高価となっている。  
【０００８】
本考案の目的は、従来技術及び特許文献１が有する種々の課題を解決し、小花、中花、草及び枝物等各種の花卉類の生け花、挿し花に好適で、汎用性のある花器を提供することにある。
【課題を解決するための手段】
【０００９】
上記の目的を達成するために、本考案のうち請求項１記載の考案は、鐔を用いた花器であって、該鐔は、平面視略円形、楕円形又は四角形状の重量ある平板体で、その中心部に刻設された楔状の中子孔と、前記中子孔と鐔外周間の表面から底面にかけて絵柄模様を形成するとともに、中子孔と鐔外周間及び模様と模様間には花卉挿入用の複数、不定形の透かしを形成してなり、花卉・水容器は、少なくとも前記鐔の直径より小径の開口を有し、該花卉・水容器の開口周縁部に前記鐔を水平状に載置してなることを特徴としている。
【００１０】
ここで、鐔（鍔）とは、刀の柄の部分と刀身の間に挟着される、平板状の鉄板又は非鉄金属板をいい、各地の鐔（鍔）工により製作され、その作品には芸術性豊かなものもあり、鐔（鍔）表面に形成される絵柄模様には動植物、鳥類、日用品等種々がある。またここにいう透かしとは、中子孔と鐔外周間及び模様と模様間に形成される、花卉の茎又は枝挿入用の穴をいう。  
【００１１】
目的を達成するための請求項２記載の考案は、請求項１記載の考案にあって、前記鐔は、鉄又は非鉄金属からなり、花卉・水容器は、陶磁器、鉄、非鉄金属、硬質合成樹脂材、ガラス材、木材又は石材からなることを特徴としている。
【００１２】
目的を達成するための請求項３の考案は、請求項１及び請求項２記載の考案にあって、前記中子孔、中子孔と鐔外周間の模様及び模様と模様間に形成された透かしは、表面から底面にかけて傾斜面としていることを特徴としている。
【００１３】
目的を達成するための請求項４の考案は、請求項１ないし請求項３記載の考案にあって、前記透かしは、底面の巾寸法を表面の巾寸法より狭小とした、傾斜角度を約６０°〜８０°としていることを特徴としている。
【００１４】
目的を達成するための請求項５の考案は、請求項１ないし請求項４記載の考案にあって、前記中子孔に形成した透かしの巾寸法を、大、中及び小としていることを特徴としている。
【考案の効果】
【００１５】
本考案に係る、鐔を用いた花器は、上記の構成になるから以下の効果を奏する。請求項１記載の考案によれば、本考案の鐔を用いた花器は、部品点数の少ない簡単な構造であるとともに安定感を有する。即ち、花器を構成する部材は、平板体の中心部に刻設された楔状の中子孔と、中子孔と鐔外周間の表面から底面にかけて絵柄模様を形成した重量ある鐔と、該鐔の直径より小径とした開口を有する、花卉・水容器の二部材からなっている。
【００１６】
また生け花、挿し花の準備が簡易に整うとともに、細茎の草花も安定した生け花ができる。即ち、生け花、挿し花の準備は花卉・水容器の開口周縁部に鐔を水平状に載置するだけでよく、
細茎の草花は、剣山や小石を固定部材として使用することなく、鐔に形成された複数、不定形の透かしのなかから茎径に適合する部位を選択し、自由にレイアウトしながら活けることができ、興趣ある造形作品ができる。
【００１７】
また我が国の各地で製作される焼き物（陶磁器）、例えば萩焼、備前焼、立杭焼等を花卉・水容器とし、鐔と組み合わせた花器とすれば、従来の花器とは異なった興趣と風情が醸し出され、この花器に活けられる花卉は、その相乗作用によって、より一層美麗に映える効果をもたらす。
【００１８】
請求項２記載の考案によれば、鐔は、鉄又は非鉄金属からなり、花卉・水容器は、陶磁器、鉄、非鉄金属、硬質合成樹脂材、ガラス材、木材又は石材からなるので、鐔と花卉・水容器の各種素材との組み合わせも楽しむことができる。  
【００１９】
請求項３及び請求項４記載の考案によれば、中子孔、中子孔と鐔外周間の模様及び模様と模様間に形成された透かしは、表面から底面にかけて傾斜面とし、底面の巾寸法を表面の巾寸法より狭小とした、傾斜角度を約６０°〜８０°としているので、花卉の挿し入れが円滑になされるとともに、茎や枝を底面の角部にくい込ませることにより安定した固定ができる。
【００２０】
請求項５記載の考案によれば、中子孔に形成した透かしの巾寸法を、大、中及び小としているので、長めの枝物を垂直又は傾斜して挿す場合、枝の径に適合する透かしの巾寸法を選択し、花器の周縁から垂らすようにして、安定した生け花ができる。
【考案を実施するための最良の形態】
【００２１】
以下、本考案に係る、鐔を用いた花器の好適な実施形態について図面を参照しながら説明する。図１は、本考案の鐔を用いた花器における構成部材を分離して示す、分解斜視図、図２は、鐔の平面図、図３は、鐔の底面図、図４は、図２における４−４線断面図、図５は、透かしの傾斜角度を説明する、鐔の一部拡大断面図、図６は、使用状態を示す一部切欠断面図、図７は、中子孔の拡大平面図、図８は、中子孔に枝物を傾斜して活けた状態の斜視図、図９は、従来例を示す剣山の斜視図、図１０は、同筒状体の斜視図、図１１は、同吸水性スポンジの斜視図である。
【００２２】
図１に示すのは、本考案の鐔を用いた花器（以下、花器Ｋという）で、円形状鋳鉄製の鐔１と陶器製で広口の開口部を形成した花卉・水容器（以下、器２という）からなっている。鐔１の材質としては、鉄が好ましいが、非鉄金属例えば、銅、アルミニウム等のように透かしの形成が容易で、適度の重量（約１３０ｇ〜２００ｇ）があれば他の素材でも問題はない。
【００２３】
鐔１の中心部には平面視楔状の中子孔１１が形成され、該中子孔１１と鐔１との外周１２間の周面には、花と枝の絵柄模様１３が刻設され、また絵柄模様１３と絵柄模様１３の間には大中小、不定形の複数の透かし１４、１４…が穿設されている（図１〜図３参照）。
【００２４】
図４に示すように、鐔１の表面１５から底面１６にかけては傾斜面１７が形成され、その角度θは、図５に示すように約６０°〜８０°とされ、鐔１の直径は約７ｃｍ〜１０ｃｍで、好ましいのは約８ｃｍで、厚さ寸法は、約４ｍｍ〜６ｍｍで、好ましいのは約５ｍｍである。
【００２５】
器２の上方は、鐔１の着脱が可能な広径の開口部２１が形成されるとともに、該鐔１が水平状に載置される開口周縁部２２が形成されている。器２の全体高さは約４ｃｍ〜８ｃｍで好ましくは約６ｃｍである。
【００２６】
図６は、本考案の花器Ｋを用いて花Ｆを活けた状態を示し、花Ｆの茎Ｆ１は適宜長さに切裁され、茎Ｆ１の末端Ｆ２は、例えば図７に示す鐔１の中心部に設けた中子孔１１の広巾部Ｄ１から挿入され、茎Ｆ１は、順次中巾部Ｄ２又は小巾部Ｄ３へと茎Ｆ１の
直径に適合する部位まで移行され、傾斜面１７の下端の角部１７ａ及び１７ｂ（図４）にくい込むように固定される。なおＷは水である。
【００２７】
図８は、枝物Ｆ１０を傾斜して活けた状態を示し、枝物Ｆ１０の枝Ｆ１１は、適宜長さに切裁され、枝Ｆ１１の末端Ｆ１２は、中子孔１１の広巾部Ｄ１から挿入され、枝Ｆ１１の上部Ｆ１３は小巾部Ｄ３で保持される。
【図面の簡単な説明】
【００２８】
【図１】本考案に係る、鐔を用いた花器における構成部材を分離して示す、分解斜視図である。
【図２】鐔の平面図である。
【図３】鐔の底面図である。
【図４】図２における４−４線断面図である。
【図５】透かしの傾斜角度を説明する、鐔の一部拡大断面図である。
【図６】使用状態を示す一部切欠断面図である。
【図７】中子孔の拡大平面図である。
【図８】中子孔に枝物を傾斜して活けた状態の斜視図である。
【図９】従来例を示す剣山の斜視図である。
【図１０】同筒状体の斜視図である。
【図１１】同吸水性スポンジの斜視図である。
【符号の説明】
【００２９】
Ｋ                  花器
１                  鐔
２                  器
１１                中子孔
１２                外周
１３                絵柄模様
１４                透かし
１５                表面
１６                底面
１７                傾斜面
θ                  角度
１７ａ               角部
１７ｂ              角部
２１                開口部
２２                開口周縁部
Ｆ                  花
Ｆ１                茎
Ｆ２                末端
Ｄ１                広巾部
Ｄ２                中巾部
Ｄ３                小巾部
Ｆ１０              枝物
Ｆ１１              枝
Ｆ１２              末端
Ｆ１３              上部
【図１】
0003112020.tif 000003
【図２】
0003112020.tif 000004
【図３】
0003112020.tif 000005
【図４】
0003112020.tif 000006
【図５】
0003112020.tif 000007
【図６】
0003112020.tif 000008
【図７】
0003112020.tif 000009
【図８】
0003112020.tif 000010
【図９】
0003112020.tif 000011
【図１０】
0003112020.tif 000012
【図１１】
0003112020.tif 000013